(57)【要約】【課題】  スカートガード照明装置の防水性の向上を図った乗客コンベヤを提供する。【解決手段】  循環移動するステップ列の両側において一方の乗降口から他方の乗降口にわたって欄干パネル１が立設されている。この欄干パネルの内側には内レッジ４が設けられ、その下方にはスカートガードパネル５が設けられている。このスカートガードパネルの上部と内レッジの下部との間には目地部材６が設けられている。スカートガードパネルの外側で且つ内レッジの下方に位置するように、搬送中の乗客の足元を照らすスカートガード照明装置７が設けられている。このスカートガード照明装置の光源部をスカートガードパネルとの間に囲うように縦断面略コの字形に形成された防滴カバー８が設けられ、その上壁の先端部が目地部材に接続されている。【選択図】      図２
2007119227.tif 000002
【特許請求の範囲】
【請求項１】
循環移動するステップ列の両側において一方の乗降口から他方の乗降口にわたって立設された欄干パネルと、この欄干パネルの内側に設けられた内レッジと、この内レッジの下方に設けられたスカートガードパネルと、このスカートガードパネルの上部と前記内レッジの下部との間に設けられた目地部材と、前記スカートガードパネルの外側で且つ前記内レッジの下方に位置するように設けられ、搬送中の乗客の足元を照らすスカートガード照明装置と、このスカートガード照明装置の光源部を前記スカートガードパネルとの間に囲うように縦断面略コの字形に形成され、上壁の先端部が前記目地部材に接続された防滴カバーと、を備えたことを特徴とする乗客コンベヤ。
【請求項２】
循環移動するステップ列の両側において一方の乗降口から他方の乗降口にわたって立設された欄干パネルと、この欄干パネルの内側に設けられた内レッジと、この内レッジの下方に設けられたスカートガードパネルと、このスカートガードパネルの上部と前記内レッジの下部との間に設けられた目地部材と、前記スカートガードパネルの外側で且つ前記内レッジの下方に位置するように設けられ、搬送中の乗客の足元を照らすスカートガード照明装置と、このスカートガード照明装置の光源部を前記スカートガードパネルとの間に囲うように縦断面略コの字形に形成され、上壁の先端部が前記目地部材に近接すると共に前記上壁の上面に付着した水を前記光源部に付着しない方向に導くように下向きに折曲された防滴カバーと、を備えたことを特徴とする乗客コンベヤ。
【請求項３】
循環移動するステップ列の両側において一方の乗降口から他方の乗降口にわたって立設された欄干パネルと、この欄干パネルの内側に設けられた内レッジと、この内レッジの下方に設けられたスカートガードパネルと、このスカートガードパネルの上部と前記内レッジの下部との間に設けられた目地部材と、前記スカートガードパネルの外側で且つ前記内レッジの下方に位置するように設けられ、搬送中の乗客の足元を照らすスカートガード照明装置と、このスカートガード照明装置の光源部を前記スカートガードパネルとの間に囲うように縦断面略コの字形に形成され、上壁の先端部が前記目地部材に近接すると共に上向きに折曲された防滴カバーと、を備えたことを特徴とする乗客コンベヤ。
【請求項４】
前記防滴カバーが、前記光源の光を反射させる部材を兼ねることを特徴とする請求項１〜請求項３のいずれか一項記載の乗客コンベヤ。
【請求項５】
複数個の前記防滴カバーが前記ステップの移動方向に沿って配列されると共に互いに隣接する前記防滴カバーの端部同士をオーバーラップさせたことを特徴とする請求項１〜請求項３のいずれか一項記載の乗客コンベヤ。
【請求項６】
複数個の前記防滴カバーが前記ステップの移動方向に沿って配列されると共に互いに隣接する前記防滴カバー間の隙間を塞ぐ塞ぎ部材が設けられたことを特徴とする請求項１〜請求項３のいずれか一項記載の乗客コンベヤ。
【請求項７】
前記上壁の先端部が下向きに折曲され、前記目地部材には前記先端部を挿入する溝が設けられると共にこの溝は前記前記先端部が挿入された状態において前記ステップの移動方向に延びる隙間が生じるように形成され、前記防滴カバーの上壁は、その上面に付着した水が前記隙間に流れ込むように前記目地部材に向かって下方に傾斜していることを特徴とする請求項１記載の乗客コンベヤ。
【請求項８】
前記溝に流れ込む水を前記光源部に付着しない方向に導く貫通孔が前記目地部材に設けられたことを特徴とする請求項７記載の乗客コンベヤ。
【請求項９】
前記貫通孔は、前記防滴カバーの内部と外部を連通する通気孔を兼ねることを特徴とする請求項８記載の乗客コンベヤ。
【発明の詳細な説明】
【技術分野】
【０００１】
本発明は、スカートガード照明装置の防水性の向上を図った乗客コンベヤに関する。
【背景技術】
【０００２】
搬送中の乗客の足元を照らすスカートガード照明装置を備えたエスカレータや動く歩道を屋外に設置する場合、ランプやソケット等の光源部に水滴（雨滴）が付着しないようにする必要がある。
【０００３】
そこで、従来から、ランプやソケットの上部にカバーを設置する等の対策がとられてきた。以下、その従来例を図１２乃至図１４に基づいて説明する。図１２は従来例（エスカレータ）の要部縦断面図、図１３は図１２のＥ部拡大図、図１４は図１２の防滴カバーの上部の内側から見た側面図である。
【０００４】
図１２において、欄干パネル１０１の内側には、内側に向かって下方に傾斜した内レッジ１０２が設けられ、その下方にはスカートガードパネル１０３が設けられている。このスカートガードパネル１０３の上部と内レッジ１０２の下部との間には目地部材１０４が設けられている。
【０００５】
この目地部材１０４はアルミニウム等により形成され、図１３に示すように、内レッジ１０２の下端部が挿入される第１の挿入溝１０４ａと、スカートガードパネル１０３の上端部が挿入される第２の挿入溝１０４ｂとを有している。
【０００６】
スカートガード照明装置１０５は、スカートガードパネル１０３の外側で且つ内レッジ１０２の下方となる位置に設けられ、防滴カバー１０６により、ランプやソケット等の光源部１０５ａに雨水等の水滴が付着するのを防止している。
【０００７】
防滴カバー１０６は、光源部１０５ａをスカートガードパネル１０３との間に囲うように縦断面略コの字形に形成されている。この防滴カバー１０６はステップの移動方向に沿って複数個配列されている。
【発明の開示】
【発明が解決しようとする課題】
【０００８】
上記従来の防滴カバー１０６は、その上壁１０６ａ全体が平坦であると共に、その先端部が目地部材１０４に接続されておらず、目地部材１０４との間に隙間１０７が生じているため、上壁１０６ａの上面に付着した水滴が隙間１０７に向かって流れると、この隙間１０７からスカートガード照明装置１０５内部に侵入し、光源部１０５ａに付着する恐れが有った。
【０００９】
また、図１４に示すように、従来は、互いに隣接する防滴カバー１０６の端部同士が突き合わされていて、これらの間に隙間１０８が生じている。エスカレータは、通常、３０乃至３５°程度傾斜しており、防滴カバー１０６の上壁１０６ａの上面に付着した水滴は下階方向へ流れようとする。したがって、防滴カバー１０６間の継目の隙間１０８から防滴カバー１０６内部に水が侵入する恐れが有った。
【００１０】
本発明は上記事情に鑑みてなされたものであり、その目的は、スカートガード照明装置の防水性の向上を図った乗客コンベヤを提供することにある。
【課題を解決するための手段】
【００１１】
上記目的を達成するために、本発明に係る第１の乗客コンベヤは、循環移動するステップ列の両側において一方の乗降口から他方の乗降口にわたって立設された欄干パネルと、この欄干パネルの内側に設けられた内レッジと、この内レッジの下方に設けられたスカートガードパネルと、このスカートガードパネルの上部と前記内レッジの下部との間に設けられた目地部材と、前記スカートガードパネルの外側で且つ前記内レッジの下方に位置するように設けられ、搬送中の乗客の足元を照らすスカートガード照明装置と、このスカートガード照明装置の光源部を前記スカートガードパネルとの間に囲うように縦断面略コの字形に形成され、上壁の先端部が前記目地部材に接続された防滴カバーと、を備えたことを特徴としている。
【００１２】
また、本発明に係る第２の乗客コンベヤは、循環移動するステップ列の両側において一方の乗降口から他方の乗降口にわたって立設された欄干パネルと、この欄干パネルの内側に設けられた内レッジと、この内レッジの下方に設けられたスカートガードパネルと、このスカートガードパネルの上部と前記内レッジの下部との間に設けられた目地部材と、前記スカートガードパネルの外側で且つ前記内レッジの下方に位置するように設けられ、搬送中の乗客の足元を照らすスカートガード照明装置と、このスカートガード照明装置の光源部を前記スカートガードパネルとの間に囲うように縦断面略コの字形に形成され、上壁の先端部が前記目地部材に近接すると共に前記上壁の上面に付着した水を前記光源部に近づかない方向に導くように下向きに折曲された防滴カバーと、を備えたことを特徴としている。
【００１３】
また、本発明に係る第３の乗客コンベヤは、循環移動するステップ列の両側において一方の乗降口から他方の乗降口にわたって立設された欄干パネルと、この欄干パネルの内側に設けられた内レッジと、この内レッジの下方に設けられたスカートガードパネルと、このスカートガードパネルの上部と前記内レッジの下部との間に設けられた目地部材と、前記スカートガードパネルの外側で且つ前記内レッジの下方に位置するように設けられ、搬送中の乗客の足元を照らすスカートガード照明装置と、このスカートガード照明装置の光源部を前記スカートガードパネルとの間に囲うように縦断面略コの字形に形成され、上壁の先端部が前記目地部材に近接すると共に上向きに折曲された防滴カバーと、を備えたことを特徴としている。
【発明の効果】
【００１４】
本発明によれば、防滴カバーの上壁の上面に付着した水が防滴カバー内部に侵入するのを防止することができるため、スカートガード照明装置の防水性が向上する。
【発明を実施するための最良の形態】
【００１５】
以下、本発明の一実施形態を図面に基づいて説明する。図１は本発明の第１の実施形態の側面図、図２は図１のＡ−Ａ線断面図、図３は図２のＢ部拡大図、図４は図３の要部拡大図、図５は図４のＣ方向矢視図である。
【００１６】
図１において、１は欄干パネルで、循環移動するステップ列（図示せず）の両側において、一方の乗降口から他方の乗降口にわたってステップの移動方向に沿って複数枚立設されている。
【００１７】
図２に示すように、この欄干パネル１の上端には手摺りデッキ２が取り付けられ、この手摺デッキ２には、ステップ列と同期して循環移動する手摺ベルト３（図１参照）が摺動自在に支持されている。
【００１８】
欄干パネル１の内側には、内側に向かって下方に傾斜した内レッジ４が設けられ、その下方にはスカートガードパネル５が設けられている。このスカートガードパネル５の上部と内レッジ４の下部との間には目地部材６が設けられている。
【００１９】
この目地部材６はアルミニウム等により形成され、図３乃至図５に示すように、内レッジ４の下端部が挿入される第１の挿入溝６ａと、スカートガードパネル５の上端が挿入される第２の挿入溝６ｂと、後述する防滴カバー８の上壁８ａの先端部が挿入される第３の挿入溝６ｃと、この第３の挿入溝６ｃの底部からスカートガードパネル５の外側面に向けて斜め下方に延びる貫通孔６ｄとを有している。
【００２０】
スカートガードパネル５の外側で且つ内レッジ４の下方となる位置には、搬送中の乗客の足元を照らすスカートガード照明装置７が設けられている。８はスカートガード照明装置のランプやソケット等の光源部７ａに雨水等の水滴が付着するのを防止する防滴カバーで、光源部７ａをスカートガードパネル５との間に囲うように縦断面略コの字形に形成されている。この防滴カバー８は、ステップの移動方向に沿って複数個配列されている。
【００２１】
防滴カバー８の上壁８ａの先端部は下向きに略直角に折曲され、目地部材６の第３の挿入溝６ｃに挿入されている。このようにすることで、上壁８ａの上面に付着した水が防滴カバー８に向かって流れても、防滴カバー８内部に侵入することがなく、光源部７ａに水が付着することがない。なお、上壁８ａの先端部と第３の挿入溝６ｃの一方の側面との間にはステップの進行方向に延びる隙間が生じている。
【００２２】
また、上壁８ａは第３の挿入溝６ｃに向かって若干斜め下方に傾斜しており、その上面に付着した水滴が第３の挿入溝６ｃに流れ込むようにしている。そして、第３の挿入溝６ｃに流れ込んだ水は貫通孔６ｄを介してスカートガードパネル５側に導かれ、その外側を下方に流れる。このように、水を光源部７ａに近づかないように排出することで、光源部７ａに水が付着しないようにしている。
【００２３】
また、この貫通孔６ｄは、防滴カバー８の内部と外部を連通する通気孔を兼ねており、スカートガード照明装置７に結露による水滴が付着するのを防止するという機能も有している。
【００２４】
なお、本実施形態では、防滴カバー８の内面がスカートガード照明装置７の光を反射する反射板を兼ねており、このようにすることで、乗客の足元をより明るく照明することができるようになるため、安全性が向上する。また、スカートガード照明装置７の消費電力を低減することもできる。
【００２５】
次に、本発明の第２の実施形態を説明する。図６は第２の実施形態の防滴カバーの上部の内側から見た側面断面図、図７は図６のＤ−Ｄ線断面図である。なお、以下の各実施形態において、第１の実施形態と同一又は類似の部分には同一の符号を付してあり、重複する説明は省略してある。
【００２６】
図６に示すように、本実施形態では、互いに隣接する防滴カバー８、８間の隙間１０を塞ぐべく、板材を略Ｌ字形に折曲した塞ぎ部材９を防滴カバー８の内側に接するように設けている。このような構成によれば、防滴カバー８、８間の隙間１０から防滴カバー８内部に水が侵入するのを防ぐことができるため、スカートガード照明装置７に水が付着するのをより確実に防ぐことができる。
【００２７】
また、塞ぎ部材９を設ける代わりに、隣接する防滴カバー８、８の端部同士をオーバーラップせるようにしても同様の効果を得ることができる。
【００２８】
次に、本発明の第３の実施形態を説明する。図８は第３の実施形態の要部拡大図である。
【００２９】
本実施形態では、防滴カバー８の上壁８ａの先端部を目地部材６に接続する代わりに、上壁８ａの先端部が目地部材６に近接すると共に下向きに略直角に折曲されている。上壁８ａの上面に付着した水は進行方向と平行に流れるが、一部は目地部材６に向かって流れ、上壁８ａの先端部と目地部材６の間の隙間１１に流れ込む。
【００３０】
この隙間１１に流れ込んだ水は、上壁８ａの先端部が下向きに略直角に折曲されているので、垂直下方に向かって導かれる。したがって、この水が照明装置７の光源部７ａに近づくことはなく、目地部材６の側面とスカートガードパネル５の外側に沿って下方に流れることになる。よって、光源部７ａに水が付着するのを防ぐことができる。
【００３１】
なお、図９（ａ）に示すように、上壁８ａを目地部材６に向かって上方に傾斜させることで、上壁８ａの上面に付着した水を主としてステップ進行方向と平行な方向に流すようにしてもよい。また、図９（ｂ）に示すように、上壁８ａを目地部材６に向かって下方に傾斜させることで、上壁８ａの上面に付着した水を積極的に目地部材６に向けて導くようにしてもよい。
【００３２】
次に、本発明の第４の実施形態を説明する。図１０は第４の実施形態の要部拡大図である。
【００３３】
本実施形態では、防滴カバー８の上壁８ａの先端部が目地部材６に近接すると共に上向きに略直角に折曲されている。
【００３４】
この場合、上壁８ａの上面に付着した水は、上壁８ａの先端部と目地部材６の間の隙間１１に流れ込むことはなく、上壁８ａの上面に沿ってステップ進行方向と平行に流れることになる。
【００３５】
したがって、この場合も、上壁８ａの上面に付着した水が防滴カバー８内部に流れ込むのを防ぐことができ、スカートガード照明装置７の防水性の向上を図ることができる。
【００３６】
次に、本発明の第５の実施形態を説明する。図１１は第５の実施形態の要部拡大図である。
【００３７】
本実施形態では、上壁８ａの先端部の厚みと目地部材６の第３の挿入溝６ｃの溝幅とをほぼ等しくして、第３の挿入溝６ｃの両側面と上壁８ａの先端部との間に隙間が生じないようにしている。この場合、上壁８ａの上面に付着した水は上壁８ａの上面に沿って下方に流れることになる。
【００３８】
したがって、この場合も、上壁８ａの上面に付着した水が防滴カバー８内部に流れ込むのを防ぐことができ、スカートガード照明装置７の防水性の向上を図ることができる。
【００３９】
なお、本発明は上記の各実施形態に限定されるものではなく、本発明の要旨を逸脱しない範囲で上記の実施形態に種々の改変を施すことができる。
【図面の簡単な説明】
【００４０】
【図１】本発明の第１の実施形態の側面図。
【図２】図１のＡ−Ａ線断面図。
【図３】図２のＢ部拡大図。
【図４】図３の要部拡大図。
【図５】図４のＣ方向矢視図。
【図６】第２の実施形態の防滴カバーの上部の内側から見た側面断面図。
【図７】図６のＤ−Ｄ線断面図。
【図８】第３の実施形態の要部拡大図。
【図９】第３の実施形態の変形例の要部拡大図。
【図１０】第４の実施形態の要部拡大図。
【図１１】第５の実施形態の要部拡大図。
【図１２】従来例の要部縦断面図。
【図１３】図１２のＥ部拡大図
【図１４】図１２の防滴カバーの上部の内側から見た側面図。
【符号の説明】
【００４１】
１    欄干パネル
４    内レッジ
５    スカートガードパネル
６    目地部材
６ｄ  貫通孔
７    スカートガード照明装置
７ａ  光源
８    防滴カバー
９    塞ぎ部材
【図１】
2007119227.tif 000003
【図２】
2007119227.tif 000004
【図３】
2007119227.tif 000005
【図４】
2007119227.tif 000006
【図５】
2007119227.tif 000007
【図６】
2007119227.tif 000008
【図７】
2007119227.tif 000009
【図８】
2007119227.tif 000010
【図９】
2007119227.tif 000011
【図１０】
2007119227.tif 000012
【図１１】
2007119227.tif 000013
【図１２】
2007119227.tif 000014
【図１３】
2007119227.tif 000015
【図１４】
2007119227.tif 000016